(57)【要約】  本願発明は、検索情報処理方法及び装置を提供する。本願発明は、ユーザによって入力された検索情報を受信し、クラウドサーバが検索情報に従って検索処理を行うように、検索情報をクラウドサーバに送信し、クラウドサーバが検索処理結果を返す前に、コンテンツを有する表示情報を表示インタフェース上でユーザにプッシュする、ことを含む。これにより、ユーザは、呆然と検索結果を待つ必要がなく、表示コンテンツを用いて検索インタフェースと対話することにより、ユーザに対して検索過程の知覚性を向上させ、ユーザ体験を向上させる。【選択図】図１
2019533225.tif 000002
【特許請求の範囲】
【請求項１】
ユーザによって入力された検索情報を受信し、
クラウドサーバが前記検索情報に従って検索処理を行うように、前記検索情報を前記クラウドサーバに送信し、
前記クラウドサーバが検索処理結果を返す前に、コンテンツを有する表示情報を表示インタフェース上で前記ユーザにプッシュする、
ことを含む、検索情報処理方法。
【請求項２】
前記コンテンツを有する表示情報は、画像、音声、ビデオ、アニメーション、テキストのうちの少なくとも１つを含む、請求項１に記載の方法。
【請求項３】
コンテンツを有する表示情報を表示インタフェース上で前記ユーザにプッシュすることは、
前記ユーザによる前記表示情報の事前設定に従って、前記事前設定を満足する表示情報を前記ユーザにプッシュし、及び／又は、
前記ユーザによって入力された前記検索情報に従って、前記検索情報に関連する表示情報を前記ユーザにプッシュする、ことを含む、請求項１に記載の方法。
【請求項４】
前記事前設定は、前記表示情報の表示形式の設定、前記表示情報の情報コンテンツの設定のうちの少なくとも１つを含む、請求項３に記載の方法。
【請求項５】
前記ユーザによる前記表示情報の事前設定に従って、前記事前設定を満足する表示情報を前記ユーザにプッシュすることは、
事前設定されたローカルストレージから前記表示情報を取得し、前記表示情報を前記ユーザにプッシュし、及び／又は、
前記クラウドサーバによってプッシュされるコンテンツの事前設定に従って、前記クラウドサーバから返された前記表示情報を受信し、前記表示情報を前記ユーザにプッシュする、ことを含む、請求項３又は４に記載の方法。
【請求項６】
前記ユーザによって入力された前記検索情報に従って、前記検索情報に関連する表示情報を前記ユーザにプッシュすることは、
前記ユーザによって入力された前記検索情報に従って、前記検索情報の情報タイプに関連する表示情報、及び／又は前記検索情報の情報コンテンツに関連する表示情報を前記ユーザにプッシュすることを含む、請求項３又は４に記載の方法。
【請求項７】
前記クラウドサーバによってプッシュされるコンテンツの事前設定は、前記クラウドサーバからの前記ユーザによって購読された表示情報を含み、前記購読された表示情報は、気象情報、広告情報、時事ニュースのうちの少なくとも１つを含む、請求項５に記載の方法。
【請求項８】
前記クラウドサーバから返された前記検索処理結果を受信し、
前記表示情報のプッシュを停止し、前記検索処理結果を前記表示インタフェース上で前記ユーザにプッシュする、ことをさらに含む、請求項１〜４のいずれか１項に記載の方法。
【請求項９】
ユーザによって入力された検索情報を受信するように構成された受信モジュールと、
クラウドサーバが前記検索情報に従って検索処理を行うように、前記検索情報を前記クラウドサーバに送信するように構成された送信モジュールと、
前記クラウドサーバが検索処理結果を返す前に、コンテンツを有する表示情報を表示インタフェース上で前記ユーザにプッシュするように構成されたプッシュモジュールと、を含む、検索情報処理装置。
【請求項１０】
前記コンテンツを有する表示情報は、画像、音声、ビデオ、アニメーション、テキストのうちの少なくとも１つを含む、請求項９に記載の装置。
【請求項１１】
前記プッシュモジュールは、
前記ユーザによる前記表示情報の事前設定に従って、前記事前設定を満足する表示情報を前記ユーザにプッシュするように構成された第１のプッシュサブモジュール、及び／又は、
前記ユーザによって入力された前記検索情報に従って、前記検索情報に関連する表示情報を前記ユーザにプッシュするように構成された第２のプッシュサブモジュール、
を含む、請求項９に記載の装置。
【請求項１２】
前記事前設定は、前記表示情報の表示形式の設定、前記表示情報の情報コンテンツの設定のうちの少なくとも１つを含む、請求項１１に記載の装置。
【請求項１３】
前記第１のプッシュサブモジュールは、
事前設定されたローカルストレージから前記表示情報を取得し、前記表示情報を前記ユーザにプッシュするように構成された取得プッシュサブモジュール、及び／又は、
前記クラウドサーバによってプッシュされるコンテンツの事前設定に従って、前記クラウドサーバから返された前記表示情報を受信し、前記表示情報を前記ユーザにプッシュするように構成された受信プッシュサブモジュール、
を含む、請求項１１又は１２に記載の装置。
【請求項１４】
前記第２のプッシュサブモジュールは、
前記ユーザによって入力された前記検索情報に従って、前記検索情報の情報タイプに関連する表示情報、及び／又は前記検索情報の情報コンテンツに関連する表示情報を前記ユーザにプッシュするように構成された、関連情報プッシュサブモジュールを含む、請求項１１又は１２に記載の装置。
【請求項１５】
前記クラウドサーバによってプッシュされるコンテンツの事前設定は、前記クラウドサーバからの前記ユーザによって購読された表示情報を含み、前記購読された表示情報は、気象情報、広告情報、時事ニュースのうちの少なくとも１つを含む、請求項１３に記載の装置。
【請求項１６】
前記受信モジュールは、前記クラウドサーバから返された前記検索処理結果を受信するようにさらに構成され、前記プッシュモジュールは、前記表示情報のプッシュを停止し、前記検索処理結果を前記表示インタフェース上で前記ユーザにプッシュするようにさらに構成される、請求項９〜１２のいずれか１項に記載の装置。
【発明の詳細な説明】
【技術分野】
【０００１】
関連出願の相互参照
本願は、２０１６年８月３１日に「検索情報処理方法及び装置（英題：  ＳＥＡＲＣＨ  ＩＮＦＯＲＭＡＴＩＯＮ  ＰＲＯＣＥＳＳＩＮＧ  ＭＥＴＨＯＤ  ＡＮＤ  ＡＰＰＡＲＡＴＵＳ）」と題して中国特許庁に出願された中国特許出願第２０１６１０７９４５０８．２号に対して優先権を主張するものであり、その出願全体の内容が参照により本明細書に組み込まれる。
【０００２】
本発明は、インターネット技術に関し、特に検索情報処理方法及び装置に関する。
【背景技術】
【０００３】
インターネット技術の急速な発展に伴い、人々の生活の様々な方面ではネットワークを介して情報を迅速に取得し、サービスを簡便に実現することができる。
【０００４】
一般的には、人々はインターネットの各種検索ツールを介して、文字又は音声形式でキーワードを入力することができ、ネットワークがその検索結果を自動的にマッチングすることを待つ。しかし、ネットワーク速度が遅いか否かにかかわらず、クラウドで検索結果をユーザのためにマッチングする過程において、ユーザは電子装置（例えば、携帯電話、コンピュータ等）のインタフェースをただ見つめて待つのみである。一般的に、検索結果のローディング過程では、電子装置のインタフェース上に環状又は波形シンボルが表示されるので、ユーザは検索が実行されていると知る。その間、ユーザは検索結果を待つのみである。そのため、ユーザの体験は良好とはいえない。
【発明の概要】
【発明が解決しようとする課題】
【０００５】
本発明は、検索情報処理方法及び装置を提供し、従来技術において、検索結果を待つ過程でユーザが検索コンテンツに関連する情報を取得できないという技術的問題を解決する。
【０００６】
一態様では、本発明は検索情報処理方法を提供し、
ユーザによって入力された検索情報を受信し、
クラウドサーバが検索情報に従って検索処理を行うように、検索情報をクラウドサーバに送信し、
クラウドサーバが検索処理結果を返す前に、コンテンツを有する表示情報を表示インタフェース上でユーザにプッシュする、ことを含む。
【０００７】
本実施形態は、検索処理の結果を待つユーザにコンテンツを有する表示情報をプッシュすることにより、ユーザが呆然と検索結果を待つ必要がなく、ユーザが待機過程で表示情報を取得することができ、検索インタフェースと対話することによって、知覚性を向上させ、ユーザ体験を向上させる。
【０００８】
一実施形態として、コンテンツを有する表示情報は、画像、音声、ビデオ、アニメーション、テキストのうちの少なくとも１つを含む。
【０００９】
一実施形態として、コンテンツを有する表示情報を表示インタフェース上でユーザにプッシュすることは、
ユーザによる表示情報の事前設定に従って、事前設定を満足する表示情報をユーザにプッシュし、及び／又は、
ユーザによって入力された検索情報に従って、検索情報に関連する表示情報をユーザにプッシュする、
ことを含む。
【００１０】
一実施形態として、事前設定は、表示情報の表示形式の設定、表示情報の情報コンテンツの設定のうちの少なくとも１つを含む。
【００１１】
本実施形態は、表示情報の多元化の設定により、ユーザに個人ニーズを満足する表示情報を提供する。ユーザは表示情報の形式、内容及び表示順序等を事前設定することにより、提示された表示情報を豊かにし、ユーザ体験を向上させることができる。
【００１２】
一実施形態として、ユーザによる表示情報の事前設定に従って、事前設定を満足する表示情報をユーザにプッシュすることは、
事前設定されたローカルストレージから表示情報を取得し、表示情報をユーザにプッシュし、及び／又は、
クラウドサーバによってプッシュされるコンテンツの事前設定に従って、クラウドサーバから返された表示情報を受信し、表示情報をユーザにプッシュする、ことを含む。
【００１３】
一実施形態として、ユーザによって入力された検索情報に従って、検索情報に関連する表示情報をユーザにプッシュすることは、
ユーザによって入力された検索情報に従って、検索情報の情報タイプに関連する表示情報、及び／又は検索情報の情報コンテンツに関連する表示情報をユーザにプッシュすることを含む。
【００１４】
一実施形態として、クラウドサーバによってプッシュされるコンテンツの事前設定は、クラウドサーバからのユーザによって購読された表示情報を含み、購読された表示情報は、気象情報、広告情報、時事ニュースのうちの少なくとも１つを含む。
【００１５】
本実施形態は、ローカルストレージ又はクラウドサーバ等の異なるチャネルから表示情報を取得することにより、ユーザに多元化の表示情報を提供する。ユーザが記憶したリソースからユーザが関心のある情報を取得するだけでなく、クラウドからユーザが興味のある情報を購読することもでき、それにより検索過程において待ち時間を十分に利用し、ユーザが検索結果を待つ過程が興味深いものとなり、ユーザ体験を向上させる。
【００１６】
一実施形態として、クラウドサーバから返された検索処理結果を受信し、
表示情報のプッシュを停止し、検索処理結果を表示インタフェース上でユーザにプッシュする、ことをさらに含む。
【００１７】
別の態様では、本発明は、検索情報処理装置を提供する。本装置の機能は、ハードウェアによって実現されてもよく、ハードウェアによって対応するソフトウェアを実行することによって実現されてもよい。ハードウェア又はソフトウェアは、上述した機能に対応する１つ又は複数のモジュールを含む。
【００１８】
具体的には、本装置は、
ユーザによって入力された検索情報を受信するように構成された受信モジュールと、
クラウドサーバが検索情報に従って検索処理を行うように、検索情報をクラウドサーバに送信するように構成された送信モジュールと、
クラウドサーバが検索処理結果を返す前に、コンテンツを有する表示情報を表示インタフェース上でユーザにプッシュするように構成されたプッシュモジュールと、を含む。
【００１９】
本発明は、ユーザによって入力された検索情報を受信し、クラウドサーバが検索情報に従って検索処理を行うように、クラウドサーバに検索情報を送信する。クラウドサーバが検索処理結果を返す前に、コンテンツを有する表示情報を表示インタフェース上でユーザにプッシュする。それによってユーザが呆然と検索結果を待つ必要がない。ユーザは待機中に表示コンテンツを取得することができ、待機過程が退屈にならない。それによって、ユーザ体験を向上させる。
【００２０】
本発明の実施形態又は従来技術における技術的解決手段をより明確に説明するために、以下では実施形態又は従来技術の説明に必要な添付の図面を簡単に説明する。以下の説明では添付図面が本発明のいくつかの実施形態を示すことは明らかであり、当業者は、創造的努力をすることなく、これらの添付図面に基づいて他の図面を取得することができる。
【図面の簡単な説明】
【００２１】
【図１】本発明の一実施形態に係る検索情報処理方法のフローチャート。
【図２】本発明の一実施形態に係る検索情報処理方法のフローチャート。
【図３】図２に示す実施形態の検索待ちインタフェースの概略図。
【図４】図２に示す実施形態の検索待ちインタフェースの概略図。
【図５】図２に示す実施形態の検索待ちインタフェースの概略図。
【図６】本発明の一実施形態に係る検索情報処理装置の構造概略図。
【図７】本発明の一実施形態に係る検索情報処理装置の構造概略図。
【発明を実施するための形態】
【００２２】
ここでは例示的な実施形態を詳細に説明するが、その例は添付の図面に示されている。以下の説明は、添付図面に関して、他に示されない限り、異なる図面における同一の参照符号は、同一又は同様の要素を示す。以下の例示的な実施形態で説明される実施態様は、本発明に整合するすべての実施態様を表すものではない。むしろ、実施態様は、添付の特許請求の範囲において詳述される本発明のいくつかの態様に整合する装置及び方法の例にすぎない。
【００２３】
本発明の実施形態で使用される用語は、特定の実施形態を説明する目的のものであり、本発明を限定することを意図するものではない。本発明の実施形態及び添付の特許請求の範囲において使用される単数形「ａ」、「ａｎ」及び「ｔｈｅ」は、文脈が他の意味を明確に示していない限り、複数の形態を包含することも意図される。
【００２４】
本明細書で使用される用語「及び／又は」は、関連する対象の関連付けを説明するためのものであり、３つの関係が存在し得ることを示す。例えば、Ａ及び／又はＢは、Ａが単独で存在する、ＡとＢが両方存在する、Ｂが単独で存在することの３つの場合を意味する。また、本明細書において「／」とは、一般に、前後の関連する対象が「又は」の関係であることを意味する。
【００２５】
本発明の実施態様では、ＸＸＸ（複数）を説明するために第１、第２、第３などの用語が使用されるが、これらのＸＸＸ（複数）はこれらの用語に限定されるべきではないことが理解されるべきである。これらの用語はＸＸＸ（複数）を互いに区別するために使用されるにすぎない。例えば、本発明の実施形態の範囲から逸脱することなく、第１ＸＸＸを第２ＸＸＸと称することもでき、同様に、第２ＸＸＸを第１ＸＸＸと称することもできる。
【００２６】
本明細書で使用される用語「場合（ｉｆ）」又は「のような場合（ａｓ  ｉｆ）」が「際（ｗｈｉｌｅ）」又は「時に（ｗｈｅｎ）」又は「決定に応答して（ｉｎ  ｒｅｓｐｏｎｓｅ  ｔｏ  ｄｅｔｅｒｍｉｎｉｎｇ）」又は「検出に応答して（ｉｎ  ｒｅｓｐｏｎｓｅ  ｔｏ  ｄｅｔｅｃｔｉｏｎ）」と解釈される場合、文脈に依存する。同様に、語句「決定する場合（ｉｆ  ｄｅｔｅｒｍｉｎｉｎｇ）」又は「（提示された条件又はイベントを）検出する場合（ｉｆ  ｄｅｔｅｃｔｉｎｇ）」は、文脈に依存して、「決定する時（ｗｈｅｎ  ｄｅｔｅｒｍｉｎｉｎｇ）」又は「決定に応答して（ｉｎ  ｒｅｓｐｏｎｓｅ  ｔｏ  ｄｅｔｅｒｍｉｎｉｎｇ）」又は「（提示された条件又はイベントを）検出する時（ｗｈｅｎ  ｄｅｔｅｃｔｉｎｇ）」又は「（提示された条件又はイベントの）検出に応答して（ｉｎ  ｒｅｓｐｏｎｓｅ  ｔｏ  ｄｅｔｅｃｔｉｏｎ）」として説明され得る。
【００２７】
また、用語「有する」、「含む」又はその他の任意の変形は、包括的なものを包含することを意図すると留意されたい。それによって、一連の要素を含む商品又はシステムは、それらの要素だけでなく、明示的に列挙されていない他の要素も含むか、又はそのような商品又はシステムに固有の要素を含むことをさらに含む。さらに限定されることなく、文「１つの…を含む」によって限定される要素は、要素を含む商品又はシステムに更に他の同一要素が存在することを排除するものではない。
【００２８】
図１は、本発明の一実施形態に係る検索情報処理方法のフローチャートである。本実施形態は、検索情報処理装置によって実行されてもよい。本装置は、ハードウェアによって実現されてもよく、ハードウェアによって対応するソフトウェアを実行することにより実現されてもよい。本装置は、プロセッサ及びディスプレイ装置及び／又はオーディオ再生装置を有する任意の端末装置に実装することができる。端末装置は、例えば、移動体端末であってもよく、移動体端末は、タブレットコンピュータ、携帯電話等を含む。
【００２９】
以下には移動体端末を携帯電話とし、検索情報処理装置はハードウェア又はハードウェアが実行する対応するソフトウェアの形式で携帯電話内に設置された例を示し、本発明の検索情報処理方法の具体的な実現形態について詳細に説明する。図１に示すように、本方法は以下を含む。
【００３０】
ステップ１０１：  ユーザによって入力された検索情報を受信する。
【００３１】
本過程の実施態様は、具体的にはユーザが携帯電話端末に設定された検索アプリケーションを使用するか、又はユーザが携帯電話端末を操作してインターネットの検索エンジンにログインすることにより、検索情報を検索するプログラムを起動することができる。ユーザによって入力された検索情報は、テキスト形式、音声形式、又は画像形式等の検索情報であってもよい。本発明は検索情報のタイプに限定されるものではない。
【００３２】
ステップ１０２：  クラウドサーバに検索情報を送信し、クラウドサーバが検索情報に従って検索処理を行うようにする。
【００３３】
ステップ１０３：  クラウドサーバが検索処理結果を返す前に、コンテンツを有する表示情報を表示インタフェース上でユーザにプッシュする。
【００３４】
本ステップにおいて、ユーザがプッシュする表示情報は、任意のデータ形式の情報であってもよく、例えば、オーディオ表示情報、ビデオ表示情報、テキスト表示情報、画像（例えばアイコン）表示情報、アニメーション表示情報等である。これらの表示情報の形式にはいずれもコンテンツが含まれ、単調な環状又は波形のみが表示される従来技術とは異なる。
【００３５】
本実施形態は、ユーザによって入力された検索情報を受信し、クラウドサーバに検索情報を送信し、クラウドサーバが検索情報に従って検索処理を行い、クラウドサーバが検索処理結果を返す前に、一定のコンテンツを有する表示情報を表示インタフェース上でユーザにプッシュする。これによりユーザに検索結果を待たせる必要がなく、ユーザ体験を向上させる。
【００３６】
以下では詳細な実施形態を用いて、本発明の検索情報処理方法の過程について詳細に説明する。以下のいくつかの実施形態は互いに組み合わせることができ、同一又は類似の概念又は過程については、いくつかの実施形態で詳細な説明を省略する。
【００３７】
図２は、本発明の一実施形態に係る検索情報処理方法のフローチャートである。本実施形態では、具体的な実施形態を用いて検索情報処理方法を詳細に説明する。本方法は以下を含む。
【００３８】
ステップ２０１：  ユーザによって入力された検索情報を受信する。
【００３９】
ステップ２０２：  クラウドサーバに検索情報を送信し、クラウドサーバが検索情報に従って検索処理を行うようにする。
【００４０】
ステップ２０３：  クラウドサーバが検索処理結果を返す前に、ユーザによる表示情報の事前設定に従って、事前設定を満足する表示情報をユーザにプッシュし、及び／又は、ユーザによって入力された検索情報に従って、検索情報に関連する表示情報をユーザにプッシュする。
【００４１】
具体的には、事前設定は、表示情報の表示形式の設定、表示情報の情報コンテンツの設定のうちの少なくとも１つを含む。例えば、ユーザは端末で表示情報の表示形式を選択することができ、例えば、ビデオ、オーディオ、アイコン、アニメーション表示形式のいずれか１つであり、又は複数の組み合わせの表示形式を選択できる。表示形式は、さらに表示情報の表示時間を設定することができ、例えば、ビデオ表示２０秒、画像提示３０秒等を設定できる。注意すべきことは、設定された表示時間に到達する前に、端末が返された検索結果を受信した場合、完全に表示が完了していない表示情報を自動的に停止してもよく、又はユーザからのフィードバック命令を受信した後に停止してもよい。ユーザからのフィードバック命令は、例えば、端末がユーザにプロンプト情報をポップアップし、ユーザが現在の表示情報を表示することを停止し、代わりに検索結果を表示するか否かを問い合わせる。ユーザが「はい」を選択した場合、端末は表示情報の表示を直ちに停止し、ユーザに検索結果をプッシュする。ユーザが「いいえ」を選択した場合、端末は完全に完了していない現在の表示情報を表示した後に、検索結果を表示する。表示形式は、さらに表示情報表示順序の設定を含むことができ、例えば、ユーザがビデオ表示情報を画像表示情報より優先するように設定することであり、英単語表示情報は時事ニュース表示情報より優先される等である。また、ユーザはさらに表示情報の具体的な内容を設定することができ、例えば、検索待ち期間に視聴されるだろうビデオコンテンツ、歌曲、アルバム内の写真、英単語、時事ニュースを設定する等である。
【００４２】
事前設定は、ユーザが予め端末のローカルストレージ内のコンテンツを設定し、それにより表示情報が事前設定されたローカルストレージから取得され、ユーザに事前設定された表示情報をプッシュすることであってもよい。例えば、ユーザは予めローカルの音楽再生リスト内の曲を表示情報として設定し、又はローカルのアルバムの写真フォルダ内の写真を表示情報として設定する。事前設定は、さらにユーザがクラウドサーバにおけるリソースについて事前設定し、クラウドサーバが事前設定されたものに従って、ユーザが事前設定した表示情報を端末に返信し、且つ端末がユーザに表示情報を提示することであってもよい。ユーザが事前設定するクラウドサーバのプッシュコンテンツには、ユーザがクラウドサーバから購読する表示情報を含むことができ、例えば、気象情報、広告情報、時事ニュース等を含む。事前設定するのは、上記取得元の組み合わせであってもよく、即ち、ユーザが事前設定した表示情報の違いに従って、一部の表示情報はローカルから取得することができ、他の表示情報はクラウドから取得することができる。いずれにしても、コンテンツを有する表示情報は一定ではなく、そうでなければ待機中のユーザの退屈感を解放することが困難である。
【００４３】
一例では、ユーザが学習を必要とする知識項目を検索待ちの間に表示することができる。例えば、検索待ちの過程で表示するコンテンツを有する表示情報として英単語を用いる。設定を行う際、ユーザは表示する単語を設定することができる。次にバックグラウンドソフトウェアは単語をランダムに選択して表示することができる。もちろん単語をランダムに選択する方法は、一つの方法であるが、学習進度に基づいて自動的に実行して表示することもできる。
【００４４】
表示情報は事前設定された方式を用いて取得することができるほか、ユーザによって入力された検索情報に従って、検索情報の情報タイプに関連する情報を提供する表示情報としてユーザにプッシュすることができ、及び／又は検索情報の情報コンテンツに関連する表示情報をユーザにプッシュすることができる。即ち、検索内容に従って、検索結果を待つ過程において検索サーバがユーザの検索要求を受信したことをユーザに知らせることができ、且つその要求に従って最高の状態で検索を実行することができる。検索情報に関連する表示コンテンツを待機中にユーザにフィードバックするので、ユーザは知覚し、それにより相互作用性、対話性を向上させ、ユーザ体験を向上させる。検索情報の情報タイプに関連する表示情報は、ユーザによって検索された情報タイプに従って取得された表示情報を意味する。例えば、ユーザがある曲を検索すると、表示情報は音声情報であってもよく、ユーザが画像情報を検索すると、表示情報は画像情報であってもよい等である。検索情報の情報コンテンツに関連する表示情報は、具体的にはユーザによって入力された検索情報に従って取得することができる。検索情報の分類を決定し、さらに分類に従って分類に関連する表示情報を取得する。検索情報の分類の決定は、具体的に以下を含むことができる。検索情報に対して意味分析を行い、検索情報のテーマコンテンツを抽出し、テーマコンテンツに従って、検索情報の分類を決定する。例えば、ユーザによって入力された検索情報が「外来」であるとする。サーバは「外来」に従って検索情報の分類を「医療」に決定し、医療に関連する表示情報、例えば医療アイコン、病院名等、を取得する。さらに別の例として、ユーザによって入力された検索情報が「○○地点付近の映画館」であるとすれば、検索情報に対して意味分析を行い、キーワード「地点」と「映画館」を取得し、さらにキーワードに従ってテーマコンテンツが「映画館」であると抽出し、映画館に関連する表示情報、例えば、現在話題の映画のポスター、映画名、映画館名等の関連情報、を取得する。
【００４５】
ステップ２０４：  クラウドサーバから返された検索処理結果を受信する。
【００４６】
ステップ２０５：  表示情報のプッシュを停止し、検索処理結果を表示インタフェース上でユーザにプッシュする。
【００４７】
本実施形態は、表示情報のタイプ、表示形式及び内容等を事前設定することにより、表示情報の表示効果を豊かにする。さらに、ローカルストレージ又はクラウドサーバ等の異なるチャネルから表示情報を取得することにより、ユーザに個人ニーズを満足する表示情報を提供するので、ユーザはローカルに記憶されたリソースから関心のある情報を取得するだけでなく、クラウドからも関心のある情報を購読することができる。従って、検索過程において待ち時間を十分に利用し、検索結果を待つ過程が興味深いものとなり、それによりユーザ体験を向上させる。
【００４８】
以下に具体的な適用シーンによって、上記ステップの実現を説明する。
【００４９】
図３に示すように、ユーザが検索ボタンを起動し、「料金を支払いたい」を入力し、クラウドサーバがユーザに「料金支払い」に関連する表示情報をプッシュする。表示情報を画像タイプとする例を用いるとして、図３にはユーザが検索結果を待つ過程において表示される各種の図形（水道料金、電気料金、ガス料金、ケーブルテレビ、固定回線ブロードバンド料金、不動産料金）を表示し、サーバが正確にユーザの検索要求を受信し、関連するコンテンツを検索中であるとユーザに知らせることができる。
【００５０】
図４に示すように、ユーザが検索ボタンを起動し、「テイクアウトを注文したい」を入力し、クラウドサーバがキーワード「テイクアウト」にマッチングし、検索読み込み中にテイクアウトに関連する図形（ニワトリ、ダッグ、魚、肉、又はテイクアウト店のロゴ等）を動的に提示し、それによりユーザのための可視化された検索過程を実現する。
【００５１】
図５に示すように、ユーザが検索ボタンを起動し、検索情報「胃痛の受診受付」を入力するとする。キーワード「胃痛の受診受付」にマッチングする。表示情報をテキスト情報とする例を用いるとして、胃痛症状を治療する病院名を関連表示情報としてユーザにプッシュすることができ、ユーザが完全な検索結果を取得する前に、ユーザは病院の概要情報を閲覧することができる。
【００５２】
さらに、上記シーン例では、表示情報のプッシュは、視覚化されてもオーディオ形式の聴取可能な方式であってもよく、さらに２種類のプッシュ方式の組み合わせであってもよい。図６は、本発明の一実施形態に係る検索情報処理装置の構造概略図である。図６に示すように、本装置の機能はハードウェアによって実現されてもよく、ハードウェアによって対応するソフトウェアを実行することによって実現されてもよい。ハードウェア又はソフトウェアは、上述した機能に対応する１つ又は複数のモジュールを含む。
【００５３】
本装置は、
ユーザによって入力された検索情報を受信するように構成された受信モジュール１と、
クラウドサーバが検索情報に従って検索処理を行うように、検索情報をクラウドサーバに送信するように構成された送信モジュール２と、
クラウドサーバが検索処理結果を返す前に、コンテンツを有する表示情報を表示インタフェース上でユーザにプッシュするように構成されたプッシュモジュール３と、を含む。
【００５４】
本実施形態が提供する装置は、上記方法の実施形態を実行するために用いることができ、それらの実現原理及び技術的効果は類似しているため、ここでは説明を省略する。
【００５５】
図７は、本発明の一実施形態に係る検索情報処理装置の構造概略図である。本実施形態は図６の実施形態に加えて、さらに以下を含む。
【００５６】
表示情報は、画像、音声、ビデオ、アニメーション、テキストのうちの少なくとも１つを含む。
【００５７】
任意選択的に、プッシュモジュール３は、
ユーザによる表示情報の事前設定に従って、事前設定を満足する表示情報をユーザにプッシュするように構成された第１のプッシュサブモジュール３１、及び／又は、
ユーザによって入力された検索情報に従って、検索情報に関連する表示情報をユーザにプッシュするように構成された第２のプッシュサブモジュール３２、を含む。
【００５８】
任意選択的に、事前設定は、表示情報の表示形式の設定、表示情報の情報コンテンツの設定のうちの少なくとも１つを含む。
【００５９】
任意選択的に、第１のプッシュサブモジュール３１は、
事前設定されたローカルストレージから表示情報を取得し、表示情報をユーザにプッシュするように構成された取得プッシュサブモジュール３１１、及び／又は、
クラウドサーバによってプッシュされるコンテンツの事前設定に従って、クラウドサーバから返された表示情報を受信し、表示情報をユーザにプッシュするように構成された受信プッシュサブモジュール３１２、を含む。
【００６０】
任意選択的に、第２のプッシュサブモジュール３２は、
ユーザによって入力された検索情報に従って、検索情報の情報タイプに関連する表示情報、及び／又は検索情報の情報コンテンツに関連する表示情報をユーザにプッシュするように構成された、関連情報プッシュサブモジュール３２１を含む。
【００６１】
任意選択的に、クラウドサーバによってプッシュされるコンテンツの事前設定は、クラウドサーバからのユーザによって購読された表示情報を含み、購読された表示情報は、気象情報、広告情報、時事ニュースのうちの少なくとも１つを含む。
【００６２】
任意選択的に、受信モジュール１は、クラウドサーバから返された検索処理結果を受信するようにさらに構成され、
プッシュモジュール３は、表示情報のプッシュを停止し、検索処理結果を表示インタフェース上でユーザにプッシュするようにさらに構成される。
【００６３】
本実施形態が提供する装置は、上記方法の実施形態を実行するために用いることができ、それらの実現原理及び技術的効果は類似しているため、ここでは説明を省略する。
【００６４】
最後に、以上の各実施形態は本発明の技術的解決手段を説明するためのものに過ぎず、本願発明を限定するものではない。各実施形態を参照して本発明を詳細に説明してきたが、当業者であれば、本発明の各実施形態の技術的解決手段の範囲から逸脱することなく、依然として各実施形態に記載の技術的解決手段を変更することができ、或いはその一部又は全部の技術的特徴に対して均等物による置換ができることが理解できる。
【図１】
2019533225.tif 000003
【図２】
2019533225.tif 000004
【図３】
2019533225.tif 000005
【図４】
2019533225.tif 000006
【図５】
2019533225.tif 000007
【図６】
2019533225.tif 000008
【図７】
2019533225.tif 000009
【国際調査報告】
2019533225.tif 000010
2019533225.tif 000011
2019533225.tif 000012
2019533225.tif 000013